(57)【要約】  【課題】防火区画壁の貫通孔部分に装着される耐火処理具の貫通孔への固定性・脱落防止性を高めるようにした。  【解決手段】耐火処理具(Ｆ)を、両端開放状に形成した円筒体(１)を熱膨張性素材で形成し、この円筒体(１)の筒部外周面に複数条の突起(２)を所定間隔隔てて一体に突設し、防火区画壁の貫通孔(H)部分の内面と円筒体(１)の筒部外周面に形成した複数条の突起(２)とを密着させることで円筒体外周面と貫通孔内周面との間の隙間をなくして、炎や煙、燃焼用空気の移動を抑制することができる。【選択図】    図１
2015209933.tif 000002
【特許請求の範囲】
【請求項１】
建築物の防火区画壁(Ｗ)を厚み方向に貫通する貫通孔(Ｈ)に装着して使用される耐火処理具であって、
両端開放状に形成した円筒体(１)を熱膨張性素材で形成して耐火処理具(Ｆ)とし、この耐火処理具(Ｆ)の筒部外周面に複数条の突起(２)を所定間隔隔てて一体に突設してあることを特徴とする防火区画壁貫通孔に使用する耐火処理具。
【請求項２】
前記円筒体(１)の一端部から一定範囲の内径(Ｄ)をその他の部分の内径(ｄ)よりも小径に形成してある請求項１に記載した防火区画壁貫通孔に使用する耐火処理具。
【請求項３】
筒本体(１)の外周面に形成した突起(２)が、断面三角形状の環状体である請求項１又は２に記載の防火区画壁貫通孔に使用する耐火処理具。
【請求項４】
建築物の防火区画壁(Ｗ)を厚み方向に貫通する貫通孔(Ｈ)に耐火処理具を装着した耐火処理構造であって、
熱膨張性素材で形成した両端開放状の円筒体(１)の筒部外周面に複数条の突起(２)を所定間隔隔てて一体に突設して耐火処理具(Ｆ)を形成し、この耐火処理具(Ｆ)の内側に配置した配線・配管材(Ｐ)と耐火処理具(Ｆ)との間に耐熱シール(Ｓ)を充填したことを特徴とする防火区画壁貫通孔の耐火処理構造。
【請求項５】
前記円筒体(１)の一端部から一定範囲の内径(Ｄ)をその他の部分の内径(ｄ)よりも小径に形成し、この小径部分に耐熱シール(Ｓ)を充填する請求項４に記載の防火区画壁貫通孔の耐火処理構造。
【請求項６】
筒本体(１)の外周面に形成した突起(２)が、断面三角形状の環状体である請求項４又は５に記載の防火区画壁貫通孔の耐火処理構造。
【発明の詳細な説明】
【技術分野】
【０００１】
本発明は、建築物の防火区画壁を厚み方向に貫通している配管・配線挿通孔に装着する耐火処理具、およびその耐火処理具を使用する防火区画壁貫通孔に使用する耐火処理構造に関する。
【背景技術】
【０００２】
従来、建築物の防火区画壁に配線・配管材を貫通させる場合、防火区画壁の貫通孔部分に防火対策が採られる。この防火対策として、従来、貫通孔の内壁に固着される熱膨張性材料で形成した耐火具本体と、この耐火具本体の内面と配線・配管材の外周面との間に非熱膨張性充填材を充填するようにしたもの(特許文献１)や、貫通孔の内壁に固着される熱膨張性材料で形成した耐火具本体と、この耐火具本体の内面と配線・配管材の外周面との間隙に軸方向への移動を許容しつつ該間隙を閉塞する閉塞材を充填するようにしたもの(特許文献２)が提案されている。
【先行技術文献】
【特許文献】
【０００３】
【特許文献１】特開２０１４−５９１１号公報
【特許文献２】特開２０１４−７８９２号公報
【発明の概要】
【発明が解決しようとする課題】
【０００４】
前記特許文献１に示されている熱膨張性材料製筒体(耐火具本体)の内周面と配線・配管材との間の空間を耐火パテなどの非熱膨張性材料で充填したものでは、配線・配管材の焼失時の熱を受けて、熱膨張性材料製筒体が膨張し、その膨張力を耐火パテなどの非膨張性材料に伝達して、配線・配管材の焼失により生じる空間を消滅させるようにしていることから、配線・配管材が焼失して初めて耐火材としての機能を発揮するということになる。
【０００５】
また、特許文献２に示されている熱膨張性材料製筒体(耐火具本体)の内周面と配線・配管材との間に軸方向への移動を許容しつつ該間隙を閉塞する閉塞材を充填したものでは、閉塞材として、スポンジ等の発泡性材料を圧縮状態で用いており、火災発生時には焼失するし、その焼失時の熱を耐火具本体が膨張する際の熱源としている。
【０００６】
前記した従来の耐火具本体では、区画壁を貫通する状態に形成されている貫通孔に耐火具本体の外周面を密着させなければ、耐火具本体を区画壁に保持することができず、区画壁への固定性・脱落防止性に難点が見られた。
【課題を解決するための手段】
【０００７】
請求項１に記載の本発明は、防火区画壁に形成されている貫通孔への固定性・脱落防止性を高めるようにしたもので、そのために、建築物の防火区画壁を厚み方向に貫通する状態で形成された貫通孔に装着して使用される耐火処理具を、両端開放状に形成した円筒体を熱膨張性素材で形成し、この円筒体の筒部外周面に複数条の突起を所定間隔隔てて一体に突設したことを特徴としている。
【０００８】
請求項２に記載の本発明は、請求項１に記載の構成に加えて、耐火処理具を構成する円筒体の内周面における一端部から一定範囲の内径をその他の部分の内径よりも小径に形成したことを特徴としている。
【０００９】
請求項４に記載の本発明は、建築物の防火区画壁を厚み方向に貫通する状態で形成された貫通孔に耐火処理具を装着した耐火処理構造であって、耐火処理具を熱膨張性素材で形成した両端開放状の円筒体に形成し、この耐火処理具の筒部外周面に複数条の突起を所定間隔隔てて一体に突設し、耐火処理具の内側に配置した配線・配管材と耐火処理具との間に耐熱シールを充填したことを特徴としている。
【００１０】
請求項５に記載の本発明は、前記請求項４の構成に加えて、耐火処理具を構成する円筒体の一端部から一定範囲の内径をその他の部分の内径よりも小径に形成し、この小径部分に耐熱シールを充填することを特徴としている。
【発明の効果】
【００１１】
本発明にかかる耐火処理具は、熱膨張性素材で形成した円筒体の筒部外周面に、複数条の突起を所定間隔隔てて一体に突設してあるので、防火区画壁に形成されている貫通孔への固定性・脱落防止性が高まることから、作業を円滑に行うことができる。
【００１２】
また、熱膨張性素材で形成した円筒体の筒部外周面に、複数条の突起を所定間隔隔てて一体に突設してあるので、貫通孔の内面と円筒体の筒部外周面に形成した複数条の突起とが密着し、円筒体外周面と貫通孔内周面との間の隙間がなくなるので、炎や煙、燃焼用空気の移動を抑制することができる。
【００１３】
さらに、耐火処理具を構成する円筒体の内周面における一端部から一定範囲の内径をその他の部分の内径よりも小径に形成した場合には、耐火処理具の内周面と耐火処理具に配設されている配線・配管材の外周面との間に充填する耐熱シールの使用量を低減することができる。
【図面の簡単な説明】
【００１４】
【図１】使用状態を示す断面図である。
【図２】耐火処理具の断面図である。
【図３】耐火処理具の斜視図である。
【発明を実施するための形態】
【００１５】
建築物の外壁や構造体の区画壁として形成される防火区画壁(Ｗ)には、ケーブルや保護管などの配線・配管材(Ｐ)を防火区画壁(Ｗ)の厚み方向に貫通させるための円孔状の貫通孔(Ｈ)が形成されている。
【００１６】
この防火区画壁(Ｗ)に設けられている貫通孔(Ｈ)による防火体制の破綻を解消するために、この貫通孔(Ｈ)部分に耐火処理具(Ｆ)を装着して、防火区画壁(Ｗ)の開口部分を閉塞するようにしてある。
【００１７】
この耐火処理具(Ｆ)は、図２および図３に示すように、熱膨張性素材で両端開放状に形成した円筒体(１)の外周面に所定の間隔隔てて複数条の環状突起(２)を一体に突出形成するとともに、円筒体(１)の一端部から外向きに鍔部(３)を一体に突出させてある。また円筒体(１)の内周面は、鍔部(３)を形成している端部より部分での一定範囲の内径(Ｄ)を、その他の部分の内径(ｄ)よりも小径に形成してある。
【００１８】
円筒体(１)を構成している熱膨張性素材としては、熱膨張材を混入したポリオレフィン系樹脂材を使用している。なお、この熱膨張性素材の膨張率は５倍以上であることが望ましい。また、円筒体(１)の外周面に突出形成した環状突起(２)は断面三角形状に形成して鰭状をなしており、耐火処理具(Ｆ)を貫通孔(Ｈ)に装着した際、環状突起(２)の先端部分が貫通孔(Ｈ)の内周面に確りと圧設して気密を保持できるようになっている。
【００１９】
上述の構造を有する耐火処理具(Ｆ) は、図１に示すように、建築構造物の外壁や区画壁などの防火区画壁(Ｗ)に配線・配管材(Ｐ)を貫通させる貫通孔(Ｈ)の開口部に装着して使用される。ＡＬＣなどの素材で形成された区画壁(Ｗ)に周知の方法で形成された貫通孔(Ｈ)に、熱膨張性素材で形成された耐火処理具(Ｆ)をその円筒体(１)の外周面に突設されている環状突起(２)がわずかに撓む状態で圧入して、耐火処理具(Ｆ)を貫通孔(Ｈ)の内周面に確りと固定支持させる。
【００２０】
この貫通孔(Ｈ)の内周面に保持固定された耐火処理具(Ｆ)の内側空間(４)に配線・配管材(Ｐ)を挿通させ、耐火処理具(Ｆ)の小径部分(５)での内周面と、配線・配管材(Ｐ)の外周面との間に生じる隙間に、耐火シール材(６)を充填して、耐火処理具(Ｆ)の内周面と配線・配管材(Ｐ)の外周面との間に生じる隙間を封じる。なお、本実施態様では、熱膨張率が１.４程度の耐火ソール材を使用したが、この耐火シール材(６)は熱膨張性の有無は問わない。
【００２１】
このようにした防火区画壁(Ｗ)の貫通孔部分Ｋ防火対策では、壁面に作用する火炎や熱気で貫通孔部分が加熱されると、熱膨張性素材で形成されている耐火処理具(Ｆ)が短時間のうちに膨張し、耐火処理具(Ｆ)の外周面とを貫通孔(Ｈ)の内周面との間の間隙は勿論、耐火処理具(Ｆ)の内周面と配線・配管材(Ｐ)の外周面との間の隙間も確実に消滅させる。また、配線・配管材(Ｐ)が焼却することがあっても、その空間を膨張した耐火処理具(Ｆ)が締め切るので、熱気や炎が防火区画壁(Ｗ)を超えて移動することを確実に抑制することになる。
【００２２】
図１では、貫通孔(Ｈ)の一端に装着した状態を示しているが、貫通孔(Ｈ)の両端に装着することを妨げるものではない。また、床壁や天井壁を貫通する貫通孔にも適用することができる。
【産業上の利用可能性】
【００２３】
建築物の防火区画壁に広く応用することができる。
【符号の説明】
【００２４】
１…円筒体、Ｆ…耐火処理具、２…環状突起、Ｄ…円筒体の一方端よりの一定範囲の内径、ｄ…円筒体のその他の部分の内径、Ｗ…建築物の防火区画壁、Ｈ…防火区画壁の貫通孔、Ｓ…耐熱シール。
【図１】
2015209933.tif 000003
【図２】
2015209933.tif 000004
【図３】
2015209933.tif 000005